(57)【要約】【課題】浴室に使用される洗浄装置において、既存の換気装置等に後付け可能な洗浄装置を提供することを目的とする。【解決手段】洗浄液を噴霧するノズル１２と筐体６内に洗浄液を取り込む給水接続部７と、洗浄液の供給を制御する電磁弁８と、電磁弁を制御する第１の制御部９と、第１の制御部９に指示を入力する操作部５を備え、換気装置４と接続可能な構成にしたことにより、換気装置４と連動可能で、容易に設置可能な洗浄装置を得られる。【選択図】図１
2020156959.tif 000002
【特許請求の範囲】
【請求項１】
洗浄液を噴霧する吐出口と、
洗浄液を本体内に取り込む給水口接続口と、
洗浄液の供給を制御する電磁弁と、
前記電磁弁を制御する制御部と、
前記制御部に指示を入力する操作部と、を備え、
送風機を有する換気装置と接続可能な洗浄装置。
【請求項２】
前記換気装置へ電圧を出力する請求項１に記載の洗浄装置。
【請求項３】
前記換気装置による換気運転の前に、前記吐出口から洗浄液を噴霧する洗浄運転を行う請求項１または２に記載の洗浄装置。
【請求項４】
前記制御部は、前記換気装置の運転を指示する信号を出力する請求項１〜３のいずれか１項に記載の洗浄装置。
【発明の詳細な説明】
【技術分野】
【０００１】
本発明は、浴室に使用される洗浄装置に関するものである。
【背景技術】
【０００２】
従来、この種の洗浄装置は、特許第３２６６０３２号公報などに記載されたものが知られている（例えば、特許文献１参照）。
【０００３】
以下、その洗浄装置について図８を参照しながら説明する。
【０００４】
図８に示すように、洗浄装置１０１は散水ノズル１０２と電磁弁１０３、洗剤ノズル１０４からなり、天井に換気扇１０５を備えることにより、洗剤の噴霧と散水にて、洗い場と浴槽のほぼ全面がきれいに洗浄でき、さらに換気により、浴室内はある程度乾燥した状態で洗浄を終了できる。
【先行技術文献】
【特許文献】
【０００５】
【特許文献１】特許第３２６６０３２号公報
【発明の概要】
【発明が解決しようとする課題】
【０００６】
このような従来の洗浄装置においては、乾燥のために用いる換気扇と洗浄のために用いる洗浄装置の両方を、洗浄システムとしてまとめて導入することが必要であり、また、既存の機器を取り替える必要があるため、コストがかかるという課題があった。
【０００７】
また、洗浄装置の運転状態により換気扇の運転が制限されるという課題があった。
【０００８】
そこで本発明は、上記従来の課題を解決するものであり、既存の換気機器を容易に接続でき、また、換気機器の使用に制限の少ない洗浄装置を提供することを目的とする。
【課題を解決するための手段】
【０００９】
そして、この目的を達成するために、本発明の一態様に係る洗浄装置は洗浄液を噴霧する吐出口と、洗浄液を本体内に取り込む給水口接続口と、洗浄液の供給を制御する電磁弁と、前記電磁弁を制御する制御部と、前記制御部に指示を入力する操作部と、を備え、送風機を有する換気装置と接続可能としたものであり、これにより所期の目的を達成するものである。
【発明の効果】
【００１０】
本発明によれば、換気装置がすでに設置されている場合であっても、洗浄装置と換気装置が連動可能となるので、低コストで設置可能な洗浄装置を提供できるという効果を得ることができる。
【図面の簡単な説明】
【００１１】
【図１】本発明の実施の形態１の洗浄装置の設置状態を示す設置図
【図２】同洗浄装置と換気装置の接続を示す図
【図３】同洗浄装置の斜視図
【図４】同洗浄装置の内部構成図
【図５】同洗浄装置の配管構成図
【図６】同洗浄装置の外観図
【図７】同洗浄装置の電気構成図
【図８】従来の洗浄装置の斜視図
【発明を実施するための形態】
【００１２】
本発明の一態様に係る洗浄装置は、洗浄液を噴霧する吐出口と、洗浄液を本体内に取り込む給水口接続口と、洗浄液の供給を制御する電磁弁と、電磁弁を制御する制御部と、制御部に指示を入力する操作部と、を備え、送風機を有する換気装置と接続可能な構成を有する。これにより、洗浄装置は、既存の換気装置に対して連動可能となるので、低コストで導入可能な洗浄装置を提供できるという効果を得ることができる。すなわち、すでに換気装置が取り付けられている場合でも、洗浄装置を後付けし、換気装置と洗浄装置を連動させることが可能となる。
【００１３】
また、洗浄装置は、換気装置へ電圧を出力するという構成にしてもよい。これにより、洗浄装置が既存の換気装置を制御できることとなるので、洗浄装置と連動した換気装置の運転ができるという効果を得ることができる。
【００１４】
また、洗浄装置は、換気装置による換気運転の前に、吐出口から洗浄液を噴霧する構成としてもよい。これにより洗浄後に浴室を乾かすこととなるので、浴室を乾燥状態にたもつことができるという効果を得ることができる。
【００１５】
また制御部は、換気装置の運転を指示する信号を出力する構成としてもよい。これにより、換気装置は操作部によって指示さえることとなるので、換気装置を洗浄時以外にも使用できるという効果を得ることができる。
【００１６】
以下、本発明の実施の形態について図面を参照しながら説明する。
【００１７】
（実施の形態１）
図１および図２を用いて、洗浄装置および換気装置の設置について説明する。
【００１８】
図１に示すように、浴室１の天井２に洗浄装置３と換気装置４が設置される。
【００１９】
天井２には、洗浄装置３および換気装置４を点検等するための点検口５０が設けられている。作業者は、天井裏に上がらずに点検口５０から上半身を入れるだけで作業することができる。
【００２０】
点検口５０および洗浄装置３は、浴室１における洗い場の上方に位置する天井２に設けられる。換気装置４は、浴室１における浴槽の上方に位置する天井２に設けられる。
【００２１】
洗浄装置３は浴室１の壁面等に設置されている操作部５により操作される。
【００２２】
なお、換気装置４の操作は操作部５によって行われてもよい。
【００２３】
換気装置４は、送風機（図示せず）等を内蔵し、浴室１の空気を吸い込んで浴室１もしくは屋外に送風する換気運転等を有する装置である。換気装置４は、例えば浴室換気乾燥機等である。
【００２４】
なお、換気装置４は、浴室１の空気を吸い込んで、内部に備えた加熱部（図示せず）により吸い込んだ空気を加熱し、浴室１に吹き出す循環運転を行うことができるとしてもよい。
【００２５】
洗浄装置３は、換気装置４と点検口５０との間に設置される。
【００２６】
なお、洗浄装置３が設けられる位置は、浴室１を洗浄するための水の噴霧が効率的に行える場所であればよい。
【００２７】
また、図２に示すように、換気装置４と洗浄装置３は連動線１３により接続されている。
【００２８】
次に、図３〜図６を用いて洗浄装置３の構成について説明する。
【００２９】
図３および図４に示すように、洗浄装置３は、筐体６と、給水接続部７と、複数のノズル１２とを備える。
【００３０】
洗浄装置３は、給水接続部７（給水口接続口）から供給された水を浴室１の室内に噴霧して浴室１を洗浄する。給水配管１１から給水接続部７へ水もしくは温水が供給される。
【００３１】
筐体６は、複数のノズル１２が配置される方向に伸びる辺が、当該方向に直交する方向に伸びる辺よりも長い形状を有する。
【００３２】
給水接続部７から、洗浄装置３に水を供給することによって、ノズル１２に浴室１を洗浄させることができる。
【００３３】
ノズル１２は、浴室１側の一端に洗浄液吐出口１４を有し、筐体６から浴室１に向かって突出するように構成される。ノズル１２は先端に設けた洗浄液吐出口１４が浴室１に面するように構成される。洗浄液吐出口１４は、給水接続部７を介して洗浄装置３に供給される水を、浴室１に向かって噴射する。洗浄装置３は、洗浄液吐出口１４から水を浴室１に噴霧することにより、浴室１を洗浄する。なお、洗浄液として噴霧する液体は温水であってもよい。
【００３４】
次に図５および図６を用いて、洗浄装置３の内部構成について説明する。
【００３５】
図５および図６に示すように、筐体６は内部に、電磁弁８と、給水配管１１と、電源を接続する電源接続部１０と、洗浄装置３を制御する第１の制御部９とを有している。
【００３６】
電磁弁８は、給水配管１１から給水接続部７へ流入する水の量を調整する。
【００３７】
給水配管１１は、給水接続部７から供給された水が流通する。
【００３８】
電源接続部１０に外部電源３０が接続される。
【００３９】
第１の制御部９は、電磁弁８等の運転を制御する。
【００４０】
図７に電源構成図を示す。
【００４１】
洗浄装置３は、第１の制御部９を備える。操作部５に入力された指示が第１の制御部９へ送られる。
【００４２】
換気装置４は、第２の制御部１５を備える。操作部５に入力された指示が第２の制御部１５へ送られる。
【００４３】
操作部５、第１の制御部９および第２の制御部１５は電気的に接続される。すなわち、第１の制御部９と第２の制御部１５は相互に通信可能であってもよい。
【００４４】
操作部５には、洗浄装置３による洗浄運転もしくは換気装置４による乾燥運転の少なくとも一つの指示が入力される。
【００４５】
洗浄装置３には外部電源３０が接続される。また、洗浄装置３は、換気装置４へ電圧を出力（印可）することができる。
【００４６】
以下に運転例の一例を示す。
【００４７】
設置の際は、まず、既存の換気装置４より外部電源（例えばＡＣ１００Ｖ）を外す。そして、外部電源３０を洗浄装置３の電源接続部１０に接続する。そして、洗浄装置３と換気装置４を連動線１３にて接続する。
【００４８】
ユーザーが操作部５にて例えば「洗浄」ボタンを押すと、電磁弁８が開き、給水接続部７より筐体６内に洗浄液としての水が供給される。水は電磁弁８から給水配管１１を通過してノズル１２より浴室１内に噴霧され、浴室１内の洗浄を行う。洗浄が終わると第１の制御部９より換気装置４へ電圧（例えばＡＣ１００Ｖ）を出力する。そして、第１の制御部９から第２の制御部１５に運転を指示する信号が出力される。これにより、換気装置４が運転を開始する。このとき、換気装置４は換気運転を行うことで、浴室１内の湿度の高い空気を排出し浴室１の乾燥を行う。すなわち、洗浄装置３による洗浄運転を行った後に換気装置４による換気運転を行う。言い換えれば、換気装置４による換気運転の前に、洗浄装置３による洗浄運転を行う。
【００４９】
また、操作部５にて例えば「換気」ボタンを押すと、洗浄装置３は動作せず、換気装置４のみが運転を行う。すなわち、操作部５に入力された信号が第２の制御部１５へ直接送られてもよい。言い換えれば、換気装置４と洗浄装置３は独立して運転することができる構成であってもよい。
【００５０】
このような構成によれば、換気装置４へ電圧を出力することで既存の換気装置４と連動可能となり、既存の換気装置４を制御し、浴室を洗浄し、浴室を乾燥状態に保つことができる容易に設置可能な洗浄装置３を提供できる。
【００５１】
また、換気装置４は操作部５によって指示されることとなるので、換気装置４を洗浄時以外にも使用が可能となる。
【００５２】
なお、本実施の形態では洗浄液として水を使用しているが、洗剤や溶液であってもよく、その作用効果に差異を生じない。
【００５３】
また、本実施の形態では換気装置へＡＣ１００Ｖを印加したが、直流電圧や信号など、換気装置の電源仕様にあわせた形態でもよい。
【００５４】
また、本実施の形態では第２の制御部１５は操作部５と直接電気的に接続されているが、第１の制御部９を介して接続してもよい。すなわち、操作部５→第１の制御部９→第２の制御部１５と接続した形態でもよい。
【００５５】
また、第２の制御部を備えておらず、ＡＣ１００Ｖ等の電圧印加のみで運転する換気装置であっても作用効果に差異を生じない。
【００５６】
以上、本発明に係る洗浄装置について、実施の形態に基づいて説明したが、本発明は、実施の形態に限定されるものではない。本発明の趣旨を逸脱しない限り、当業者が思いつく各種変形を本実施の形態に施したものおよび、異なる実施の形態における構成要素を組み合わせて構築される形態も、本発明の範囲内に含まれる。
【産業上の利用可能性】
【００５７】
本発明に係る洗浄装置は、既存の換気装置との連動を可能とするものであるので、浴室に使用される洗浄装置等として有用である。
【符号の説明】
【００５８】
１    浴室
２    天井
３    洗浄装置
４    換気装置
５    操作部
６    筐体
７    給水接続部
８    電磁弁
９    第１の制御部
１０    電源接続部
１１    給水配管
１２    ノズル
１３    連動線
１４    洗浄液吐出口
１５    第２の制御部
３０    外部電源
５０    点検口
【図１】
2020156959.tif 000003
【図２】
2020156959.tif 000004
【図３】
2020156959.tif 000005
【図４】
2020156959.tif 000006
【図５】
2020156959.tif 000007
【図６】
2020156959.tif 000008
【図７】
2020156959.tif 000009
【図８】
2020156959.tif 000010